(57)【要約】【課題】閉鎖時の必要充分なルースリーフ保持力を有しつつも尚、開放に際して生じる抵抗力の小さいルースリーフ綴じ具を提供することである。【解決手段】第１基板１は綴具の長手方向に沿った所定の間隔で第１綴環１側の外縁上面に複数の係止凹所１５を有し、第２基板２は綴環３、４の閉鎖位置で凹所１５に嵌合する係止突起１６を有し、係止突起１６は丸みのついた先端を有する。係止突起１６は更に、両基板を互いに水平方向の離脱方向に所定のレベル以上の強さで引っ張ったときに係止突起１６が係止凹所１５から外れる際の抵抗力が小さくなるように、係止突起１６の先端に傾斜底面１００を設ける。【選択図】        図２
2004306508.tif 000002
【特許請求の範囲】
【請求項１】
外縁に沿って所定間隔に複数の第１綴環を起立する細長い第１基板と、該第１基板の外縁とは反対の外縁に沿って所定間隔に複数の第２綴環を起立する第２基板とよりなり、第１基板及び第２基板を長手方向の各一端を相互に廻動自在に固着して閉鎖端部とする状態で互いに組み合わせ、該閉鎖端部を中心として開閉することで第１綴環及び第２綴環を開閉するようにしたルースリーフ綴具であって、
第１基板が、綴具の長手方向に沿った所定の間隔で長手方向を横断する貫通孔と、第１綴環側の外縁上面の複数の係止凹所とを有し、
第２基板が、前記貫通孔に嵌合する複数のピンと、綴環の閉鎖位置で前記係止凹所に嵌合する係止突起とを有し、
該係止突起が、ルースリーフ綴じ具の閉鎖端部の方向に下降する勾配を付けた傾斜底面を有することを特徴とするルースリーフ綴具。
【請求項２】
第１基板が、水平な上面を有する底板を有し、第２基板が、該底板の上面と接触する底面を有する請求項１のルースリーフ綴具。
【請求項３】
第１綴環及び第２綴環が、綴具の長手方向と直交する面内方向において、第１基板及び第２基板への取付基部が厚く形成される請求項１又は２の何れかのルースリーフ綴具。
【請求項４】
第１基板又は第２基板の一方における閉鎖端部位置に、基板を横断して貫く孔を設け、第１基板又は第２基板の他方における閉鎖端部位置にには、該孔に嵌入する突起を設けた請求項１ないし３の何れかのルースリーフ綴具。
【請求項５】
第１基板又は第２基板の対向する内面の、閉鎖端部とは反対側の端部位置に、綴環を開放するための手段を挿入する切り欠き部分を形成した請求項１ないし４の何れかのルースリーフ綴具。
【発明の詳細な説明】
【０００１】
【発明の属する技術分野】
本発明は、縁部に沿って複数の綴じ孔を有するルースリーフを綴じ込むための綴具に関し、更に詳しくは、ルースリーフ式のアルバム、ノート、透明フィルム保管袋、その他同様物を綴じ込むための改良された綴具に関する。
【０００２】
【従来の技術】
綴環を開閉することによりルースリーフを閉じる形式の綴具には大別して２種あり、多数枚のルースリーフを、綴環を有する適当な綴具で保持するだけの形式のいわゆる外付けタイプのものと、ルースリーフを保持した綴具を固い表紙の背部の内側に鳩目や鋲を使用して固定したいわゆる内付けタイプのものとがある。
外付けタイプの代表的なものには、コイルスプリング状の綴金具を、多数枚重ねたルースリーフの背部に沿って一定間隔に設けた多数の綴じ孔に順次挿通させたものや、一部が開放したほぼ完全な環状の個別の綴環を有する綴具を同様に使用したものなどがある。
さらに、同様な外付けタイプでルースリーフの補充が可能なように開閉が可能な綴具も実用新案登録第３００１０６８号により提案されている。この型のルースリーフ綴具は、第１基板と第２基板とよりなり、第１基板は、挿入板と、この挿入板の外縁に沿って所定間隔に取り付けた複数の第１綴環とを有し、第２基板は、第１基板の挿入板の外縁とは反対の外縁に沿って所定間隔に複数の第２綴環を起立した側壁と、前記挿入板を密に挿入させる平溝を側壁と共に形成した上部板及び下部板とを有する。
第１基板と第２基板とは別個の分離自在の部材として形成され、挿入板と上部板及び下部板との向き合う先端の何れも、第１基板と第２基板との閉鎖時には、その断面が環状になるような形態のものとされ、第１基板と第２基板とは、閉鎖時の綴環の衝合方向のずれを制限するために相互に係脱し得る係止手段を中間部に少なくとも一つ有している。又、基板の両綴環を整列させるために基板を横断する方向のガイドリブとガイド溝が設けられている。
【０００３】
外付けタイプのリング型綴具はルースリーフをめくる際に邪魔にならないことが必要であるが、上記の実用新案の形式のものでは、綴環の閉鎖を両基板の挿入板と平溝の密嵌合とに依っているので、閉鎖時の密着力が強くて綴環の整列と保持に都合がよいが、挿入板と平溝とを形成するための余裕が必要で基板の幅をあまり狭くすることができない。具体的には８ｍｍ程度が限界であり、それよりも狭くすると嵌合による保持が不充分になると共に、基板がたわみやすいために装入板と平溝の嵌合自体が困難となる。又、上記実用新案のものは両基板を閉じるときに挿入板と平溝を嵌合させ次いでガイド板をガイド溝に合わせなければならないが、合わせにくい問題がある。又、両基板を外して綴環を開放する場合に手がかりが無く開放が困難であった。
【０００４】
こうした問題点に対し、本件出願人は特開平２００２−２８３７８２号において、第１基板が、綴具の長手方向に沿った所定の間隔で長手方向を横断する貫通孔を有し、又、第１綴環側の外縁上面に複数の係止凹所を設け、第２基板が上記貫通孔にそれぞれ嵌合する複数のピンと綴環の閉鎖位置で前記凹所に嵌合する係止突起を有する構成のルースリーフ綴具を提案した。
この構成によると、基板を８ｍｍよりも狭く極端な場合には３ｍｍ程度まで狭くしても、ピンと貫通孔とにより両基板の確実な結合が可能となり、又、それらによる案内と綴環の精密な衝合が可能となるだけでなく、両基板の摩擦接触個所が少ないので両基板の組み立て及び開放が容易になる他に、係止凹所と係止突起が係止することで基板が固定され綴環をしっかりと閉鎖し保持するのでルースリーフの外れを有効に防止することができるようになる。
また、この構成では、第１基板又は第２基板の一方の基板の他端に前記両基板の対向する内面を切り欠いて綴環を開放するための手段を挿入できるようにし、綴環を開放させるに際して、これらの切り欠きにより形成される凹部に硬貨等の道具あるいは爪などを挿入して両基板の他端部を開き、次いで係止突起を係止凹所から順次外し、両基板を離間させて両綴環を開放させることもできるようになっている。
しかしながら、上記構成のルースリーフ綴じ具において、係止突起と係止凹所との相互係止により生じる、ルースリーフ綴じ具を開放させる際の抵抗力を更に小さくし、ルースリーフの操作性を一層向上させるするための改良の余地があることが見込まれる。
【０００５】
【特許文献１】
実用新案登録第３００１０６８号公報
【特許文献２】
特開平２００２−２８３７８２号公報
【０００６】
【発明が解決しようとする課題】
閉鎖時の必要充分なルースリーフ保持力を有しつつも尚、開放に際して生じる抵抗力を従来の同等品よりも小さくしたルースリーフ綴じ具を提供することである。
【０００７】
【課題を解決するための手段】
これらの目的を達成するために本発明は、次のような構成の外付けタイプのルースリーフ綴具を提供する。
即ち、本発明によれば、外縁に沿って所定間隔に複数の第１綴環を起立する細長い第１基板と、該第１基板の外縁とは反対の外縁に沿って所定間隔に複数の第２綴環を起立する第２基板とよりなり、第１基板及び第２基板を長手方向の各一端を相互に廻動自在に固着して閉鎖端部とする状態で互いに組み合わせ、該閉鎖端部を中心として開閉することで第１綴環及び第２綴環を開閉するようにしたルースリーフ綴具であって、
第１基板が、綴具の長手方向に沿った所定の間隔で長手方向を横断する貫通孔と、第１綴環側の外縁上面の複数の係止凹所とを有し、
第２基板が、前記貫通孔に嵌合する複数のピンと、綴環の閉鎖位置で前記係止凹所に嵌合する係止突起とを有し、
該係止突起が、ルースリーフ綴じ具の閉鎖端部の方向に下降する勾配を付けた傾斜底面を有することを特徴とするルースリーフ綴具が提供される。
【０００８】
【発明の実施の形態】
以下本発明の好ましい実施例による特に外付け（表紙の内側に取り付けるのではなくて表紙の外側にむき出しで取り付ける）に適したルースリーフ綴具を図１以下を参照して詳しく説明する。図１は剛性を有すると共に外力に対して容易には折れない靭性を有するポリプロピレン或いはＡＢＳ等のプラスチックより、第１及び第２の基板を含む２部材として射出成形により製作される本発明の綴具の全体図を示し、図１（ａ）は平面図、図１（ｂ）は一方の基板の正面図となっている。そして図２（ｃ）は図１（ｂ）の線Ａ−Ａでの部分断面側面図（一方の基板のみを示す）であり、図２（ｄ）は、図２（ｃ）に示す基板をその左端部位置で矢印（ハ）方向から見た正面図である。また、図３は、綴環を衝合させた状態で示す、図１（ｂ）の線Ｂ−Ｂでの部分断面側面図である。
【０００９】
綴具は、外縁に沿って所定間隔に複数の第１綴環３を起立する細長い第１基板１よりなる左部材と、前記第１基板１の外縁とは反対の外縁に沿って所定間隔に複数の第２綴環４を起立させた第２基板２よりなる右部材とよりなり、これら左右の各部材の両基板を互いに組み合わせることにより前記第１綴環３及び第２綴環４を閉鎖するようにしたルースリーフ綴具である。第１基板１と第２基板２とは、互いに組み合わせた場合に全体的にほぼ矩形断面を有し長手方向に延びている。図３に示すように、第１綴環３及び第２綴環４の各先端には常法に従って小孔５と小突起６がそれぞれ形成されており、互いに嵌合することにより綴環先端の整列とルースリーフの脱落防止とを行っている。
【００１０】
第１基板１はその下部に水平な上面７を有する底板９を有し、第２基板２は底板９の上面に接触する下面８を有している。図３のように、第１基板１はその全長に渡りほぼＬ字形断面を有し、第２基板２はその全長に渡りほぼ矩形断面を有する。この構造により、第１基板１に第２基板２を組み込む際に、上面７と下面８とは互いに滑動する案内面を構成すると共に、両部材の整列及び綴環の整列保持を行う。
【００１１】
第１綴環３及び第２綴環４は綴具の長手方向に対して直角な面内方向で前記第１基板１及び第２基板２への取付基部１１、１２で厚く形成される。本発明においても、第１基板１及び第２基板２は上記従来品と同様に細いために可撓性を有するので、取り付け基部を剛性にすることでこれら第１基板１及び第２基板２の補強とし、合わせて綴環３、４の補強を行うものである。
【００１２】
図３のように第１基板１は綴具の長手方向に沿った所定の間隔で長手方向を横断する複数の貫通孔１３を有し、図２（ｃ）、（ｄ）及び図３のように第２基板２は対応する貫通孔１３に嵌合する複数本のピン１４（図１（ｂ）では８本として例示される）を有している。これらの貫通孔１３とピン１４とは両基板を組み込む際に綴環３、４の長手方向の精密な位置決めを行う。貫通孔１３は綴環３の厚肉の取付基部１１の下に設けた肉盗み凹部１７に形成してあり、基板１の強度を低下する恐れはない。
【００１３】
さらに、第１基板１は、綴具の長手方向に沿った所定の間隔（図では隣接した綴環の中央位置）で第１綴環１側の外縁上面に複数の係止凹所１５を有し、第２基板２は綴環３、４の閉鎖位置で凹所１５に嵌合する係止突起１６を有し、係止突起１６は丸みのついた先端を有している。この係止突起１６は、係止凹所１５と共に綴具の長手方向にピン１４から若干ずらして設けられる。こうすることで、ピン１４と、係止凹所１５及び係止突起１６とにおける係脱に関する相互の影響が最小化され、それぞれの係止作用が安定化される。係止突起１６は両第１基板１及び第２基板２を閉じた状態を保持するためのロック手段として役立つが、両基板を互いに図２〜図３において水平方向の離脱方向に所定のレベル以上の強さで引っ張ったときには容易に外れるように定める。
【００１４】
本発明では特に、このように所定のレベル以上の強さで引っ張ったときに係止突起１６が係止凹所１５から外れる際の抵抗力が小さくなるように、図２（ｄ）に示すように係止突起１６の先端に、勾配を付けた傾斜底面１００を設ける。傾斜底面１００は図２（ｄ）に示すように、綴具の、本図２（ｄ）では左側の閉鎖端部方向に向けて長手方向に徐々に下降する勾配を付けると共に、係止突起１６を係止凹所１５に係止した状態では、綴じ込んだルースリーフの重み等によって不用意に開放してしまうことがない程度に、係止凹所１５との間に充分な係止力を生じるような形態のものとする。
【００１５】
更に、本発明では図１（ａ）、（ｂ）のように、両第１基板１及び第２基板２を組み立てるに際して両基板を長手方向に整列させておくための手段として、第１基板１及び第２基板２の各右端を相互に重ね合わせて廻動自在に固着した閉鎖端部を設ける。
図１（ａ）、（ｂ）に示す実施例では第１基板１の右端にはこの右端を横断方向に貫く孔１９を設け、第２基板の右端の孔１９に相当する位置には、この孔１９に嵌入する突起２０を設けることで、この右端を廻動自在の閉鎖端部としている。
この閉鎖端部が相互に外れてしまわないようにするために、第１基板１の孔１９を設けた右端部を“コ”の字形の凹所とし、この凹所内に第２基板の右端部を嵌め込み、次いで突起２０を孔１９に嵌入させるようすることができる。
【００１６】
一方、第１基板１と第２基板の各左端部２５、２６は、図１（ａ）、（ｂ）に示すように対向する内面が切り欠き２１になっており、綴環を開放するための手段、例えば硬貨などを基板端部２５、２６の間に挿入できるようになっている。これにより、第１基板１及び第２基板２を前記閉鎖端部を中心として廻動して相互に離間する方向に開放することで綴環３、４を開放することが出来る。
【００１７】
動作
次に、本発明の綴具の動作を説明する。まず、第１基板１及び第２基板２がバラバラになっている状態から組み立てるものとする。
まず、第１基板１の右端の孔１９に第２基板２の突起２０を挿入して廻動自在の閉鎖端部とし、両基板の長さ方向の位置を定めておく。次ぎに第１綴環３又は第２綴環４に一枚以上のルースリーフをその綴じ穴を利用して引っかけ、第１基板１の底板９の上面に第２基板２の下面８を載せて滑動させる。これにより両基板が水平方向に接近してピン１４が貫通孔１３に入るので、そのまま両基板を閉鎖する。これにより綴環３、４の先端同士が衝合し、さらに押圧すると係止突起１６が弾発的に凹部１５に嵌る。
図３において、綴環３、４の綴具長手方向の位置決めは貫通孔１３とピン１４とにより、上下方向の位置決めは貫通孔１３とピン１４並びに上面７と下面８とにより、また、水平方向の位置決めは第１基板１の垂直内面２３と第２基板の垂直内面２４並びに係止凹部１５と係止突起１６とにより行われる。
【００１８】
もしもルースリーフの交換或いは補充が必要な場合には、左端部２５、２６の間の切り欠き２１を利用して両第１基板１及び第２基板２の左端端部を開くと、先ず、切り欠き２１側に最も近い係止突起１６が係止凹部１５から外れ、次いで左端部２５、２６を両手の指で握持してさらに横に開くと、他の係止突起が順次閉鎖端部に向けて、即ち、図１（ａ）で右方向に順次外れていく。この際、係止突起１６が前述のように綴具の閉鎖端部方向に下降する勾配を付けた傾斜底面１００を有していることから、係止力に基づく抵抗力が開放初期において小さいので、従来のものよりもずっと容易に綴具を開放させることが可能となる。
【００１９】
【発明の効果】
以上のように、本発明は、その構造上非常に細型の基板が構成できるためルースリーフのめくり及び筆記の邪魔にならず、又、綴環の閉鎖が容易且つ精密に行え、さらにその状態の保持が確実であり、また、両基板を開いて綴環を開く場合には、基板端部に設けた切り欠きにより係止突起を係止凹部から容易に外すことが可能となるという先の特開平２００２−２８３７８２号のものの特徴に加え、係止突起が綴具の閉鎖端部に向けて徐々に下降する傾斜底面を設けたことで、引き続き両基板を開放して綴環を開くに際しての初期の抵抗力が小さくなり、一段と容易に開放することができるものである。
【図面の簡単な説明】
【図１】本発明の実施例によるルースリーフ綴具の全体構造を示すもので、（ａ）は平面図、（ｂ）は図１で下方に示される基板の矢印（イ）方向からの正面図である。
【図２】（ｃ）は図１（ｂ）で示す基板における線Ａ−Ａでの部分断面側面図であり、（ｄ）は図１（ｂ）で示す基板の左端部位置を図２（ｃ）の矢印（ハ）方向から見た正面図である。
【図３】図１（ａ）を矢印（ロ）方向から見た部分断面側面図である。
【符号の説明】
１  第１基板
２  第２基板
３  第１綴環
４  第２綴環
７  第１基板の上面
８  第２基板の下面
９  第１基板の低板
１１、１２  綴環の基部
１３  貫通孔
１４  ピン
１５  係止凹部
１６  係止突起
１７  肉盗み凹部
１９  突起
２０  孔
２１  切り欠き
２３、２４  垂直内面
２５、２６  左端部
【図１】
2004306508.tif 000003
【図２】
2004306508.tif 000004
【図３】
2004306508.tif 000005